(57)【要約】【課題】薄型化が可能で、ターンテーブルとクランパとの吸着又は脱離のとき、大きな機械音が生じないディスク装置を提供する。【解決手段】クランパ２を遊嵌するクランパホルダ４と、磁石６ｅ及びヨーク２ｃが、ディスク８を挟持して回転するターンテーブル６及びクランパ２に各配設されており、クランパホルダ４に穿設された孔４ａの内向きかつ内側に突設され、クランパ２を係止する三固の係止部４ｂ、４ｃと、孔４ａの内向きかつ内側に突設され、係止部４ｂとともにクランパ２をターンテーブル６に対向する位置に保持する一個の板ばね４ｄとを備え、係止部４ｂは、クランパホルダ４に対して係止部４ｃと段差を有し、磁石６ｅ及びヨーク２ｃの吸引力により、クランパ２は、板ばね４ｄの付勢力に抗して、ターンテーブル６に対向する位置から傾斜させて係止部４ｃに係止されるようにしている。【選択図】図４
2009032319.tif 000002
【特許請求の範囲】
【請求項１】
ディスクを保持して待機位置から該ディスクに情報を記録再生するための記録再生位置へ移動するターンテーブルと、
該ターンテーブルとの間にディスクを挟持するクランパと、
前記ターンテーブルと対向する位置に孔が穿設されており、該孔に前記クランパを遊嵌するクランパホルダと
を備え、
磁石が前記ターンテーブル及びクランパのいずれかに配設されており、前記ターンテーブルに吸着して共に移動する前記クランパの移動可能範囲で、該クランパが前記クランパホルダに非拘束となるようにしているディスク装置において、
前記クランパホルダは、    
前記孔の周縁の内側かつ前記ターンテーブル側に突出して、前記クランパを係止可能な第１係止部、第２係止部及び弾性体を有し、
前記クランパは、前記ターンテーブル側に吸引されていないとき、前記第１係止部及び弾性体で前記ターンテーブルに対向して係止されていることを特徴とするディスク装置。
【請求項２】
前記弾性体は、前記第１係止部とで前記クランパを前記ターンテーブルに対向させるように付勢されており、
前記第１係止部及び弾性体は、前記ターンテーブル側への突出量が前記第２係止部より短く形成されており、
前記磁石の吸引力により、前記クランパは、前記弾性体の付勢力に抗して前記ターンテーブル側に吸引されて、前記第１係止部及び弾性体で係止される位置から、前記第１及び第２係止部に係止される位置に移動するようにしてあることを特徴とする請求項１に記載のディスク装置。
【請求項３】
前記第２係止部が前記クランパを係止する位置における該弾性体の付勢力を、前記ターンテーブルが前記クランパに最接近した位置における前記磁石の吸引力よりも小さくしてあることを特徴とする請求項１又は２に記載のディスク装置。
【請求項４】
前記弾性体は、板ばね又はＵ字状のワイヤであることを特徴とする請求項１から３のいずれか一つに記載のディスク装置。
【発明の詳細な説明】
【技術分野】
【０００１】
本発明は、ディスクをクランプして記録再生するためのディスク装置に関する。
【背景技術】
【０００２】
従来、ディスク装置は、ターンテーブルに略水平に装填された光ディスク及び磁気ディスク等のディスクを記録再生位置で回転させ、ピックアップがディスクに対して半径方向に移動して情報を記録再生している。
【０００３】
このようなディスク装置では、ターンテーブルの中央部にチャッキングヨークが配設され、クランパホルダに保持されたクランパの中央部に磁石が埋設されている。ディスクがターンテーブル及びクランパに挟持されるとき、磁石及びチャッキングヨークの吸引力によりクランパがターンテーブルに吸引されるようになっている。ディスクの記録再生時には、ディスクが円形状のターンテーブル及びクランパに挟持されて、ターンテーブルが待機位置からディスクの記録再生位置まで移動する。
【０００４】
ディスクの記録再生終了後、磁石及びチャッキングヨークの吸着力に抗してクランパからターンテーブルを離脱させるためには、ターンテーブルの離脱駆動に大きな駆動力を要する。このような駆動力を低減させるため、ターンテーブルがクランパから離脱するときに、クランパをターンテーブルに対して傾斜させるようにしている（例えば、特許文献１参照）。
特許文献１に示す例では、傾斜手段として、クランパの縁がクランパホルダに当接する箇所に、突起が一個突設されており、ターンテーブルがクランパから離脱するとき、クランパの周縁がクランパホルダに当接してクランパが傾斜することにより、より小さい駆動力でターンテーブルがクランパから離脱できるようになっている。
【特許文献１】特開２０００−１８７９１１号公報
【発明の開示】
【発明が解決しようとする課題】
【０００５】
しかしながら従来のターンテーブル及びクランパでは、磁石の磁力によりターンテーブルがクランパから離脱するとき又はクランプされるとき、大きな機械音が生じていた。
また特許文献１に示すようにクランパを傾斜させる場合、傾斜させる分だけディスクを保持するトレイのローディング時及びアンローディング時にスペースが余分に必要となっており、ディスク装置をより薄型化するためには改善の余地がある。
【０００６】
本発明は、このような事情に鑑みてなされたものであって、その目的とするところは、ディスクのローディング時及びアンローディング時に、弾性体及び第１係止部でクランパをターンテーブルに対向させて係止し、磁石の吸引力により弾性体の付勢力に抗してクランパをターンテーブルに対して傾斜させる構成を備えることにより、薄型化が可能で、ターンテーブルとクランパとの吸着又は脱離のとき、大きな機械音が生じないディスク装置を提供することにある。
【課題を解決するための手段】
【０００７】
本発明のディスク装置は、ディスクを保持して待機位置から該ディスクに情報を記録再生するための記録再生位置へ移動するターンテーブルと、該ターンテーブルとの間にディスクを挟持するクランパと、前記ターンテーブルと対向する位置に孔が穿設されており、該孔に前記クランパを遊嵌するクランパホルダとを備え、磁石が前記ターンテーブル及びクランパのいずれかに配設されており、前記ターンテーブルに吸着して共に移動する前記クランパの移動可能範囲で、該クランパが前記クランパホルダに非拘束となるようにしているディスク装置において、前記クランパホルダは、前記孔の周縁の内側かつ前記ターンテーブル側に突出して、前記クランパを係止可能な第１係止部、第２係止部及び弾性体を有し、前記クランパは、前記ターンテーブル側に吸引されていないとき、前記第１係止部及び弾性体で前記ターンテーブルに対向して係止されていることを特徴とする。
【０００８】
このような構成の本発明のディスク装置では、ターンテーブルの待機位置で、第１係止部と弾性体とがターンテーブルに対向させてクランパを係止しており、ターンテーブルがディスクの記録再生位置へ向けて移動してクランパに接近し、磁石の吸引力により、ターンテーブルがクランパを吸引する直前まで、第１係止部及び弾性体はターンテーブルに対向させてクランパを係止する。
【０００９】
本発明のディスク装置は、前記弾性体は前記第１係止部とで前記クランパを前記ターンテーブルに対向させるように付勢されており、前記第１係止部及び弾性体は、前記ターンテーブル側への突出量が前記第２係止部より短く形成されており、前記磁石の吸引力により、前記クランパは、前記弾性体の付勢力に抗して前記ターンテーブル側に吸引されて、前記第１係止部及び弾性体で係止される位置から、前記第１及び第２係止部に係止される位置に移動するようにしてあることを特徴とする。
【００１０】
このような構成の本発明のディスク装置では、ターンテーブルの待機位置で、第１係止部と弾性体とがターンテーブルに対向させてクランパを係止しており、ターンテーブルがディスクの記録再生位置へ向けて移動してクランパに接近したとき、磁石の吸引力により、ターンテーブルがクランパを吸引し、クランパが弾性体の付勢力に抗してターンテーブル側へ弾性体を押圧して、弾性体が変形し、第１係止部がクランパの係止を維持する。
ターンテーブルの接近に伴う磁石の吸引力の増大により、クランパが押圧してターンテーブル側へ弾性変位していく弾性体と、クランパの係止を維持する第１係止部とにより、クランパはターンテーブルに対して徐々に傾斜していく。ターンテーブルの接近に伴うクランパの傾斜により、第２係止部がクランパを係止したとき、クランパホルダからの突出量の短い第１係止部と長い第２係止部とがクランパをターンテーブルに対して傾斜した状態で係止する。
さらにターンテーブルがクランパ側へ移動していくとき、第１係止部はクランパの係止を維持し、ターンテーブルが、磁石の吸引力で弾性体を押圧するクランパの縁の一部に接触して押すことにより第２係止部によるクランパの係止を解除して、クランパホルダ側へ移動していく。ターンテーブルがクランパに正対したとき、ターンテーブルとクランパとが吸着してディスクを挟持する。
そして、ターンテーブルがクランパとともにディスクを挟持して移動するのに従い、クランパが移動可能範囲を移動して、クランパが第１係止部及び弾性体と非接触になってクランパホルダに非拘束となる位置に至り、ターンテーブルがディスクの記録再生位置に達する。
その後、ターンテーブルが回転するとともに、ディスク及びクランパが回転して、ディスクが記録再生される。
ターンテーブルの回転が停止し、ディスクの記録再生終了後、ディスクをアンローディイングする場合、ターンテーブルがクランパでディスクを挟持して待機位置に戻っていくとき、クランパホルダの第１係止部と弾性体とがクランパを係止する。
さらにターンテーブルが移動していくとき、第１係止部がクランパの係止を維持し、クランパが弾性体の付勢力に抗して弾性体を押圧して、弾性体が弾性変位していき、クランパがターンテーブルに対して徐々に傾斜していく。クランパの傾斜に従って、ターンテーブルが磁石の吸着力に抗してクランパから徐々に離脱していく。
ターンテーブルの移動に伴うクランパの傾斜により、第２係止部がクランパを係止したとき、第１係止部と第２係止部とのクランパホルダからの突出量の違いにより、第１及び第２係止部はクランパをターンテーブルに対して傾斜した状態で係止する。
さらにターンテーブルが移動して、ターンテーブルがクランパから完全に離脱し、磁石の吸引力がクランパに及ばなくなったとき、弾性体が付勢力により元に戻り、第１係止部及び弾性体がクランパをターンテーブルに対向させて係止する。
【００１１】
本発明のディスク装置は、前記第２係止部が前記クランパを係止する位置における該弾性体の付勢力を、前記ターンテーブルが前記クランパに最接近した位置における前記磁石の吸引力よりも小さくしてあることを特徴とする。
【００１２】
このような構成の本発明のディスク装置では、第１係止部と弾性体とがクランパをターンテーブルに対向させて係止している位置から、ターンテーブルがクランパに接近するのに伴い、磁石による吸引力により、クランパが弾性体の付勢力に抗してターンテーブル側へ弾性体を押圧し、弾性体がターンテーブル側へ弾性変位する。
【００１３】
本発明のディスク装置は、前記弾性体は、板ばね又はＵ字状のワイヤであることを特徴とする。
【００１４】
このような構成の本発明のディスク装置では、第１係止部と板ばね又はＵ字状のワイヤとがクランパをターンテーブルに対向させて係止している状態から、ターンテーブルがクランパに接近するのに伴い、磁石による吸引力により、クランパがターンテーブル側に板ばね又はＵ字状のワイヤを押圧する。
ターンテーブルの接近に伴う磁石の吸引力の増大により、クランパが押圧して弾性変位していく板ばね又はＵ字状のワイヤと、クランパを係止する第１係止部とにより、クランパはターンテーブルに対して傾斜していく。ターンテーブルの接近に伴うクランパの傾斜により、第２係止部がクランパを係止したとき、第１係止部と第２係止部とのクランパホルダからの突出量の違いにより、第１及び第２係止部はクランパをターンテーブルに対して傾斜した状態で係止する。
【発明の効果】
【００１５】
本発明のディスク装置は、ディスクを保持するトレイのローディング時及びアンローディング時に、弾性体及び第１係止部でクランパをターンテーブルと対向させて保持しているので、クランパからターンテーブルを離脱駆動させる駆動力を低減させる傾斜手段を備えているにも関わらず、クランパを傾けるスペースを設ける必要がなく、ディスクを保持するトレイの移動域を確保して薄型化ができるという効果を有する。さらに、ターンテーブルとクランパとの吸着又は脱離のとき、弾性体の付勢力に抗してクランパをターンテーブルに対して傾斜させるようにしているので、クランパの動きが弾性体により緩和されて大きな機械音が発生せず、しかもクランパの吸着解除時のターンテーブルの離脱駆動力を低減させることができるという効果を有する。
【発明を実施するための最良の形態】
【００１６】
以下、図面に基づき、本発明によるディスク装置の好適な実施の形態を説明する。
（実施の形態１）
図１は実施の形態１に係るディスククランパ機構の側断面図、図２はクランパホルダの平面図、図３はターンテーブルの側断面図、図４はディスク装置のディスクローディング時又はディスククランプ解除後の状態を示す部分側断面図、図５はディスククランプ直前時又はディスククランプ解除時を示す側断面図である。
実施の形態１に係るディスク装置は、トレイに収容された、例えば直径１２ｃｍのディスク８を平置きにするターンテーブル６を上方向（又は下方向）に移動させてディスク８をローディング（又はアンローディング）するようになっている。ターンテーブル６はディスク８の中央に穿設された中央孔８ａの周縁に当接可能になっており、ターンテーブル６の直径は中央孔８ａ周縁の外周の直径と同程度になっている。ディスク装置は、ディスククランパ機構のクランパ２とターンテーブル６とによりディスク８を挟持して、ディスク８の記録再生位置でターンテーブル６を回転させ、ディスク８の半径方向にピックアップ（図示せず）を移動させて記録再生をしている。
【００１７】
ディスククランパ機構はクランパ２及びクランパホルダ４からなり、クランパ２はクランパホルダ４の中央部に穿設された孔４ａに遊嵌されている。クランパ２はターンテーブル６の上側に対向して配設されている。
クランパ２は、円皿状のクランプ部２ａの上面の中央部に円柱状の基軸２ｂが上向きに周縁の高さと同寸法に突設されてなるものである。クランプ部２ａの上面に、基軸２ｂに嵌合した輪状の軟鉄製のヨーク２ｃが貼着されており、ヨーク２ｃは磁石６ｅに吸着するものであればよい。
【００１８】
クランプ部２ａの下面には、円錐台状の凹部２ｋが大径側を開口部にして同心に形成されている。凹部２ｋの上奥部には、ターンテーブル６の位置決めをするため及びクランパ２とターンテーブル６との回転軸を一致させるための円錐台状の位置決め軸２ｊが、基軸２ｂと同心に小径側を下向きにして突設されている。位置決め軸２ｊの小径側の直径と基軸２ｂの直径とは同寸法になっている。位置決め軸２ｊの先端は、凹部２ｋの周縁より少し内側に位置している。
クランプ部２ａの下面周縁は、クランパ２がターンテーブル６との間にディスク８を挟持したとき、ディスク８に穿設された中央孔８ａの周縁に当接可能になっており、凹部２ｋの奥行きはディスク８の厚さ程度になっている。
クランプ部２ａの外周縁に同心に突起輪２ｄが外向きに突設されている。
【００１９】
クランパホルダ４の孔４ａの周縁の下側で、孔４ａの内側に、突起輪２ｄの周縁が係止される立面視略Ｌ字形の三個の係止部４ｂ、４ｃ、４ｃが、三等配に突設されている。係止部４ｂ、４ｃ、４ｃは、Ｌ字の横向きの脚が孔４ａの内側に延びるように形成された各縁部５ｂ、５ｃ、５ｃを有している。
三個のうち第１係止部である一個の係止部４ｂは、第２係止部である他の二個の係止部４ｃ、４ｃよりもクランパホルダ４の下面から下方向の突出量が、少し短い。
クランプ部２ａの突起輪２ｄは、係止部４ｂの縁部５ｂ及び係止部４ｃ、４ｃの縁部５ｃ、５ｃの各上面に当接して係止可能になっている。突起輪２ｄが各縁部５ｂ、５ｃ、５ｃに係止されたとき、クランパ２がターンテーブル６に対して傾くようになっている。
【００２０】
孔４ａの周縁の両係止部４ｃ、４ｃから等距離の位置に、立面視略Ｚ字形の舌状の板ばね４ｄが設けられている。板ばね４ｄの一端は、孔４ａの周縁部の下面にビス４ｅで固定されている。板ばね４ｄの他端は、孔４ａの周縁の内側に突出して自由端５ｄとなっている。板ばね４ｄの横幅は、係止部４ｂ、４ｃ、４ｃの横幅と同寸法であり、板ばね４ｄの自由端５ｄは、係止部４ｂ、４ｃ、４ｃの各縁部５ｂ、５ｃ、５ｃと同程度まで孔４ａの周縁の内側に突出している。自由端５ｄは、係止部４ｂの縁部５ｂの内側端部と対向しており、自由端５ｄの上縁部５ｅは、係止部４ｂの縁部５ｂとともにクランパ２の突起論２ｄに当接して、ターンテーブル６に対向し、クランパ２を略水平に保持するようになっている。
【００２１】
ターンテーブル６がクランパ２に接近したとき、クランパ２のヨーク２ｃがターンテーブル６の磁石６ｅに吸引されることにより、クランパ２が板ばね４ｄの付勢力に抗して傾き、板ばね４ｄの上縁部５ｅに当接していた突起輪２ｄが、係止部４ｃ、４ｃに当接するようになっている。
【００２２】
ターンテーブル６は、上部に円柱状の基台６ａを上向きに有し、基台６ａの下端にスピンドルモータ（図示せず）の回転軸７が連結されている。基台６ａの中央部に形成された回転軸６ｇに、基台６ａよりも大径の円盤６ｃが同心に形成されている。ディスク８の中央に穿設された中央孔８ａに嵌入する円柱台６ｆが、円盤６ｃの中央部に形成されており、円柱台６ｆの高さは、ディスク８の厚さと同寸法である。
【００２３】
円柱台６ｆの下側から円盤６ｃの周縁までの距離の１／２の箇所に、輪状の溝６ｈが円柱台６ｆと同心に円盤６ｃの上面に形成されている。円柱台６ｆがディスク８の中央孔８ａに嵌入したとき、円盤６ｃは中央孔８ａの下側の周縁面に輪状に当接するようになっている。ディスク８が円盤６ｃに当接したとき、輪状の溝６ｈに空気が入り、当接時の衝撃を緩和するようになっている。
【００２４】
ディスク８の中央孔８ａに嵌入し易いように、小径側を上面にした円錐台６ｂが、大径側を円柱台６ｆと同径にして形成されている。円錐台６ｂの高さは、ディスク８の厚さ程度にしている。
円錐台６ｂの上面の中央部には、クランパ２の位置決め軸２ｊが嵌合可能な円穴状の嵌合穴６ｄが、形成されている。位置決め軸２ｊが円錐台６ｂの嵌合穴６ｄに嵌合したとき、クランパ２の凹部２ｋにターンテーブル６の円錐台６ｂが嵌合し、円錐台６ｂの上面が凹部２ｋの天井面２ｎと当接するようになっている。
ターンテーブル６は合成樹脂製であり、円錐台６ｂの小径側に同心に円盤状の磁石６ｅが埋設されている。
【００２５】
図４に示すように、ディスク装置にディスク８をローディングするときには、クランパ２は、突起輪２ｄの一部をクランパホルダ４の係止部４ｂの縁部５ｂに当接させ、１８０度反対側の他部を板ばね４ｄの上縁部５ｅに当接させて、クランパ２がターンテーブル６に対して略水平に対向するようにしてある。クランプ部２ａの下端面とディスク８の上面との距離Ｈは、磁石６ｅ及びヨーク２ｃの吸引力がクランパ２に及ばないようにしたディスク８の移動域である。図５に示すように、距離Ｋにまでディスク８がクランプ部２ａに接近したとき、磁石６ｅ及びヨーク２ｃの吸引力がクランパ２に及び、クランパ２の突起輪２ｄが係止部４ｂ、４ｃ、４ｃに当接し、クランパ２が略水平の位置から傾くようにしている。
なお、図５中、Ｊはクランパホルダ４とディスク８との距離を示す。
【００２６】
ところで、トレイの移動域を確保して、磁石６ｅ及びヨーク２ｃの吸引力が及んでクランパ２を吸引する距離が同じである場合、実施の形態１では係止部４ｂと板ばね４ｄとでクランパ２を略水平に係止しているため、クランパ２を傾けて配設されたときに比べて、クランパ２が傾く分だけ距離Ｈを短くしており、その結果としてクランパホルダ４とディスク８との距離Ｇが短くなっている（図４を参照）。
したがって、実施の形態１では、磁石６ｅ及びヨーク２ｃの吸引力がクランパ２に及ばない最小限の距離Ｈを確保して、クランパホルダ４とディスク８との距離Ｇを短くして薄型化している。
【００２７】
次に実施の形態１に係るクランパの動作について説明する。
図６は実施の形態１に係るディスククランパ機構のディスククランプ状態を示す側断面図である。
先ず、トレイ（図示せず）を引き出して、図４に示すように、ターンテーブル６にディスク８を載置したとき、円錐台６ｂがディスク８の中央孔８ａに嵌入し、円柱台６ｆが中央孔８ａに嵌合して、ディスク８の中央孔８ａの下側の周縁面が円盤６ｃの上面に当接して、ターンテーブル６がディスク８を保持し、ディスク８のローディングを開始する。
ディスク８をローディングするとき、クランパ２の突起輪２ｄの一部周縁が、係止部４ｂの縁部５ｂ及び板ばね４ｄの上縁部５ｅに当接し、クランパホルダ４がクランパ２を略水平にターンテーブル６に対向させて保持する（図４を参照）。
【００２８】
次に、図５に示すように、ターンテーブル６が上方へ移動し、ターンテーブル６がクランパ２に距離Ｋまで接近したとき、板ばね４ｄの付勢力は、磁石６ｅ及びヨーク２ｃの吸引力よりも小さくしているため、ターンテーブル６の磁石６ｅがクランパ２のヨーク２ｃを吸引して、板ばね４ｄの上縁部５ｅに当接していたクランパ２の突起輪２ｄの周縁が、板ばね４ｄの付勢力に抗して下方へ移動して板ばね４ｄを押圧する。板ばね４ｄが変形して、突起輪２ｄの周縁の各一部が、各係止部４ｃ、４ｃの各縁部５ｃ、５ｃの上面に当接して、クランパ２がターンテーブル６に対して傾く。
【００２９】
クランパ２が傾斜した状態で、ターンテーブル６がさらに上方へ移動したとき、ターンテーブル６の円錐台６ｂがクランパ２の凹部２ｋに嵌入していき、円錐台６ｂの上面の一部が凹部２ｋの天井面２ｎの一部と当接する。
【００３０】
次いで、ターンテーブル６の上方への移動に伴い、徐々に磁石６ｅ及びヨーク２ｃの吸引力が強くなり、円錐台６ｂの上面が凹部２ｋの天井面２ｎの全面に当接したとき、円錐台６ｂが凹部２ｋに嵌合し、円錐台６ｂの嵌合穴６ｄにクランパ２の位置決め軸２ｊが嵌合して、クランパ２及びターンテーブル６が磁石６ｅ及びヨーク２ｃの吸引力によりディスク８を略水平に挟持して密着し、クランパ２がターンテーブル６に対向する。
クランパ２及びターンテーブル６が密着したとき、突起輪２ｄが係止部４ｂの縁部５ｂ及び板ばね４ｄの上縁部５ｅから浮いた状態になり、クランパ２がクランパホルダ４と非接触状態になる（図６を参照）。
最後に、ターンテーブル６がクランパ２とともにディスク８を挟持して回転する。
【００３１】
ディスク８の記録再生終了後、ターンテーブル６は回転を停止し、クランパ２及びターンテーブル６が、磁石６ｅ及びヨーク２ｃの吸着力によりディスク８を略水平に挟持した状態で下方へ移動していき、突起輪２ｄの周縁の一部の下面が、係止部４ｂの縁部５ｂ及び板ばね４ｄの上縁部５ｅの各上面に当接する。さらにターンテーブル６が下方へ移動したとき、クランパ２の突起輪２ｄの一部が、係止部４ｂの縁部５ｂに当接した状態を維持し、板ばね４ｄの付勢力に抗して押圧し、クランパ２がターンテーブル６と対向する位置から傾斜していく。
【００３２】
クランパ２がターンテーブル６に対して傾斜していくとき、クランパ２の凹部２ｋとターンテーブル６の円錐台６ｂとの嵌合及び位置決め軸２ｊと嵌合穴６ｄとの嵌合が、徐々に外れていき、クランパ２及びターンテーブル６の吸着が徐々に解除される。突起輪２ｄの周縁の一部が、係止部４ｃ、４ｃの縁部５ｃ、５ｃの上面に当接して、クランパ２が完全に傾斜したとき、クランパ２及びターンテーブル６の吸着が解除される（図５を参照）。
クランパ２が傾斜した状態で、さらにターンテーブル６が下方へ移動したとき、磁石６ｅ及びヨーク２ｃの吸引力がクランパ２に及ばなくなり、板ばね４ｄが付勢力により元に戻る。板ばね４ｄが元に戻ったとき、係止部４ｂの縁部５ｂ及び板ばね４ｄの上縁部５ｅが、クランパ２をターンテーブル６に対向する位置で係止する（図４を参照）。
【００３３】
このような構成の実施の形態１に係るディスク装置は、ディスク８を保持するトレイのローディング及びアンローディング時にクランパ２を係止する係止部４ｂ及び板ばね４ｄでクランパ２を略水平にターンテーブル６と対向させているので、クランパ２を傾けない分、ディスク装置を薄型化できる。さらに、磁石６ｅ及びヨーク２ｃが吸引又は吸着解除するときに、板ばね４ｄの付勢力に抗してクランパ２をターンテーブル６に対して傾斜させるようにしているので、クランパ２がターンテーブル６に吸引又は吸着解除したとき、大きな機械音が発生せず、クランパ２解除時のターンテーブル６の駆動力を低減させることができる。
【００３４】
（実施の形態２）
実施の形態１では弾性体として板ばね４ｄを使用したが、側面視略Ｚ字形の平面視Ｕ字状のワイヤを使用してもよい。実施の形態２における弾性体のワイヤを除く他の構成は、実施の形態１と同様である。
図７は実施の形態２に係るクランパホルダの平面図である。
実施の形態２に係るクランパホルダ４のＵ字状のワイヤ１０は、両端がクランパホルダ４にビス１０ａ、１０ａで固定されている。クランパホルダ４の孔４ａに突出するワイヤ当接部１０ｂは、係止部４ｂの縁部５ｂと対向しており、クランパ２をターンテーブル６と対向して略水平に係止するようになっている。
【００３５】
このような構成の実施の形態２に係るディスク装置では、磁石６ｅ及びヨーク２ｃによる吸引力がクランパ２に及ぶとき、クランパ２の突起輪２ｄの周縁の一部がＵ字状のワイヤ１０のワイヤ当接部１０ｂを押圧し、Ｕ字状のワイヤ１０が変形する。クランパ２が、係止部４ｂ、４ｃ、４ｃの各縁部５ｂ、５ｃ、５ｃに当接したとき、クランパ２がターンテーブル６に対して傾く。
実施の形態２に係る効果は実施の形態１と同様であるので詳細な説明を省略する。
【００３６】
実施の形態１及び２では、クランパ２を係止する係止部４ｂ、４ｃ、４ｃを三個にして、クランパ２をターンテーブル６に対向させて略水平にする係止部４ｂ及び板ばね４ｄ又はＵ字状のワイヤ１０を各一個にして１８０度反対側に位置するようにしたが、１８０度反対側に位置するようにしなくても差し支えない。また、クランパ２をターンテーブル６に対向させる係止部４ｂ及び板ばね４ｄは、各複数個設けるようにしてもよい。またターンテーブル６がディスク８を平置きにして、クランパ２がターンテーブル６の上側で対向する平置き型のディスク装置に適用したが、ディスクをターンテーブルに縦置きにする縦置き型のディスク装置にも適用することができる。またディスクをスロットインするタイプにも適用することができる。
【図面の簡単な説明】
【００３７】
【図１】実施の形態１に係るディスククランパ機構の側断面図である。
【図２】クランパホルダの平面図である。
【図３】ターンテーブルの側断面図である。
【図４】ディスク装置のディスクローディング時又はディスククランプ解除後の状態を示す部分側断面図である。
【図５】ディスククランプ直前時又はディスククランプ解除時を示す側断面図である。
【図６】実施の形態１に係るディスククランパ機構のディスククランプ状態を示す側断面図である。
【図７】実施の形態２に係るクランパホルダの平面図である。
【符号の説明】
【００３８】
２  クランパ
４  クランパホルダ
４ｂ、４ｃ  係止部
４ｄ  板ばね（弾性体）
６  ターンテーブル
６ｅ  磁石
８  ディスク
１０  Ｕ字状のワイヤ（弾性体）
【図１】
2009032319.tif 000003
【図２】
2009032319.tif 000004
【図３】
2009032319.tif 000005
【図４】
2009032319.tif 000006
【図５】
2009032319.tif 000007
【図６】
2009032319.tif 000008
【図７】
2009032319.tif 000009